(57)【特許請求の範囲】
【請求項１】
ユーザ端末とネットワークを介して接続され、所定の確認用番号により当該ユーザ端末の利用者の認証を行う認証装置であって、
前記認証用の前記利用者の電話番号を発信先として電話発信を行い、当該電話番号の着信先との間に通話回線を確立する手段と、
前記通話回線を通じて前記着信先から送信された番号情報を受信し、当該番号情報と前記所定の確認用番号とを比較する手段と、
前記番号情報と前記所定の確認用番号とが同一である場合に、前記ユーザ端末がIP電話通信を行うために必要な設定情報としてのSIP通信情報とIP電話用電話番号を前記ユーザ端末に割り当て、情報格納部に格納する手段と
を備えたことを特徴とする認証装置。
【請求項２】
前記ユーザ端末は前記電話番号の着信先となる携帯電話端末であり、当該電話番号は当該携帯電話端末の携帯電話番号であることを特徴とする請求項１に記載の認証装置。
【請求項３】
ユーザ端末とネットワークを介して接続され、所定の確認用番号により当該ユーザ端末の利用者の認証を行う認証装置が実行する認証方法であって、
前記認証用の前記利用者の電話番号を発信先として電話発信を行い、当該電話番号の着信先との間に通話回線を確立するステップと、
前記通話回線を通じて前記着信先から送信された番号情報を受信し、当該番号情報と前記所定の確認用番号とを比較するステップと、
前記番号情報と前記所定の確認用番号とが同一である場合に、前記ユーザ端末がIP電話通信を行うために必要な設定情報としてのSIP通信情報とIP電話用電話番号を前記ユーザ端末に割り当て、情報格納部に格納するステップと
を備えたことを特徴とする認証方法。
【請求項４】
コンピュータを、請求項１又は２に記載の認証装置における各手段として機能させるためのプログラム。
【請求項５】
請求項１又は２に記載された認証装置に接続される前記ユーザ端末であって、
前記利用者の電話番号と、当該利用者により入力された前記所定の確認用番号とを前記認証装置に送信する手段と、
前記認証に成功したか否を確認するための確認要求を前記認証装置に送信する手段と、
前記確認要求により前記認証に成功したことを示す情報を前記認証装置から受信した場合に、前記認証装置に対して前記設定情報を要求し、当該認証装置から受信した前記設定情報を記憶手段に格納する手段と、
を備えることを特徴とするユーザ端末。
【請求項６】
コンピュータを、請求項５に記載のユーザ端末における各手段として機能させるためのプログラム。
【発明の詳細な説明】
【技術分野】
【０００１】
本発明は、IP電話等のサービス申込み時等におけるユーザの本人性確認のための認証技術に関連するものである。
【背景技術】
【０００２】
近年、インターネットベースのIP電話サービスが普及してきている。当該IP電話サービスでは、ユーザ端末にIP電話用のアプリケーションをインストールし、当該アプリケーションの機能により他の端末とインターネットを介して通話を行うことが可能である。
【０００３】
また、ネットワーク上のゲートウェイを介することにより、当該ユーザ端末と、一般の電話機（固定電話機、携帯電話機等）との間の通話も可能になっている。
【０００４】
このようなサービスでは、当該ユーザ端末がIP電話通信を実行できるように、サービス提供事業者に対してサービス申込を行う。これにより、IP電話通信用の各種設定情報の割り当て・設定が行われる。
【先行技術文献】
【特許文献】
【０００５】
【特許文献１】特開２００２−２０７９２９号公報
【発明の概要】
【発明が解決しようとする課題】
【０００６】
上記のようなサービスを提供するサービス提供事業者において、新たなサービス申込を受け付けるときに、サービス利用者の本人性確認が重要となる。
【０００７】
例えば、申込時に、上記のユーザ端末として使用する携帯端末（スマートフォン等）の利用者情報（住所、氏名等）を受け付けることが考えられるが、そのままの情報では、当該利用者情報が、実際にサービスを利用する利用者の情報かどうかを判別することができず、この方法では確実な本人性確認は困難である。
【０００８】
一方、申込時に身分証明書の提示を受けたり、申込確認書類を配達証明郵便等で送付したりするなどして本人性確認を行うことも考えられるが、サービス提供事業者側で確認に手間がかかるとともに、利用者からの申込に即時に対応することができないという問題がある。
【０００９】
本発明は上記の点に鑑みてなされたものであり、ネットワークサービス等のサービスを提供する際における確実性の高いユーザ本人性確認を簡易かつ迅速に行うことを可能とする技術を提供することを目的とする。
【課題を解決するための手段】
【００１０】
上記の課題を解決するために、本発明は、ユーザ端末とネットワークを介して接続され、当該ユーザ端末の利用者の認証を行う認証装置であって、前記ユーザ端末から前記利用者の電話番号と、当該利用者により入力された確認用番号とを受信する手段と、前記受信した電話番号を発信先として電話発信を行い、当該電話番号の着信先との間に通話回線を確立する手段と、前記通話回線を通じて前記着信先において入力された番号情報を受信し、当該番号情報と前記確認用番号とを比較し、これらが同一である場合に、前記認証に成功したと判定する手段とを備えたことを特徴とする認証装置として構成される。
【００１１】
前記ユーザ端末は、所定の通信サービスを受けるための端末であり、前記認証装置は、前記認証に成功したと判定した場合に、前記ユーザ端末が前記所定の通信サービスを受けるために必要な設定情報を前記ユーザ端末に送信する手段を更に備えることとしてもよい。
【００１２】
また、前記ユーザ端末は、IP電話通信を行うための端末であり、前記認証装置は、前記認証に成功したと判定した場合に、前記ユーザ端末がIP電話通信を行うために必要な設定情報としてのSIP通信情報を前記ユーザ端末に送信する手段を更に備えることとしてもよい。
【００１３】
前記ユーザ端末として前記電話番号の着信先となる携帯電話端末を用いてもよく、その場合、当該電話番号は当該携帯電話端末の携帯電話番号である。
【００１４】
本発明は、前記認証装置が実行する認証方法として構成してもよい。また、本発明は、前記認証装置における各手段として機能させるためのプログラムとして構成してもよい。
【００１５】
また、本発明は、前記認証装置に接続されるユーザ端末であって、前記利用者の電話番号と、当該利用者により入力された確認用番号とを前記認証装置に送信する手段と、前記認証に成功したか否を確認するための確認要求を前記認証装置に送信する手段と、前記確認要求により前記認証に成功したことを示す情報を前記認証装置から受信した場合に、前記認証装置に対して前記設定情報を要求し、当該認証装置から受信した前記設定情報を記憶手段に格納する手段と、を備えることを特徴とするユーザ端末として構成することもできる。
【００１６】
また、本発明は、コンピュータを、前記ユーザ端末における各手段として機能させるためのプログラムとして構成することもできる。
【発明の効果】
【００１７】
ネットワークサービス等のサービスを提供する際における確実性の高いユーザ本人性確認を簡易かつ迅速に行うことが可能となる。
【図面の簡単な説明】
【００１８】
【図１】本発明の実施の形態におけるシステムの全体構成の例を示す図である。
【図２】本発明の実施の形態における設定・認証装置２０の機能構成図である。
【図３】本発明の実施の形態におけるユーザ端末１０の機能構成図である。
【図４】本発明の実施の形態における着信認証・自動設定動作を説明するためのシーケンス図である。
【発明を実施するための形態】
【００１９】
以下、図面を参照して本発明の実施の形態を説明する。本実施の形態では、一例として、本発明に係る着信認証方式を、スマートフォン等の携帯端末を用いたIP電話サービスの利用申込時におけるユーザの本人性確認に用いているが、本発明は、これに限らず、他の様々なサービスにも適用できるものである。
【００２０】
（システム構成）
図１に、本実施の形態に係るシステムの全体構成図を示す。図１に示すように、本実施の形態に係るシステムは、インターネット１と電話網２とがGW３を介して接続されて構成され、インターネット１にユーザ端末１０と設定・認証装置２０が接続されている。電話網２は、例えばPSTN、携帯電話網、キャリアが提供するVoIP通信網等であり、これらの網が相互接続された網であってもよい。
【００２１】
本実施の形態におけるユーザ端末１０としては、携帯電話機能を備える携帯端末（スマートフォン等）を想定している。ユーザ端末１０は、無線通信網４（携帯電話網、無線LAN網等）を介してインターネット１に接続し、インターネット１に接続された他の端末３０や、電話網２に接続された電話機５等とIP電話通信を行う。
【００２２】
上記のようなIP電話通信を可能とするために、ユーザ端末１０及び網側（GW３等）においてSIP通信情報等の設定を行うことが必要となる。
【００２３】
設定・認証装置２０は、上記SIP通信情報の設定を行うにあたってのユーザの本人性確認（認証）や、ユーザ端末１０に対してSIP通信情報の自動設定等を行う装置である。なお、図１には、設定・認証装置２０はインターネット１のみに接続しているように図示されているが、設定・認証装置２０は、ユーザ端末１０の電話番号（本実施の形態では携帯電話番号）に呼接続し、ユーザ端末１０と電話通信を行うことが可能である。
【００２４】
図２に、設定・認証装置２０の機能構成図を示す。図２に示すように、設定・認証装置２０は、申込受付機能部２１、着信認証機能部２２、設定情報割当機能部２３、端末自動設定機能部２４、ステータス管理機能部２５、情報格納部２６を備える。
【００２５】
申込受付機能部２１は、ユーザ端末１０から、申込に必要な情報を受信し、情報格納部２６に格納する。申込に必要な情報は、例えば、ユーザ氏名・住所・電話番号・クレジットカード番号等である。
【００２６】
着信認証機能部２２は、ユーザ端末１０から、着信認証に用いる電話番号と確認用番号（これを「PINコード」と呼ぶ）を含む着信認証要求を受けて、当該電話番号宛てに電話を発呼する機能、及び、当該発呼により確立された通話回線を通じて、ユーザにより入力されたPB信号をユーザ端末１０から受信し、PB信号から番号情報を認識し、上記PINコードと比較することにより認証を行う機能を有する。
【００２７】
設定情報割当機能部２３は、IP電話用電話番号候補を記憶手段に格納しており、その中から認証に成功したユーザのユーザ端末１０に対応するIP電話用電話番号を割り当てる機能を有する。また、ユーザ端末１０がIP電話通信を行うために必要なSIP通信情報を割り当てる機能も有する。割り当てられた情報は、ユーザ毎（つまり、ユーザ端末毎）に情報格納部２６に格納される。
【００２８】
端末自動設定機能部２４は、IP電話通信に必要な初期設定情報（SIP通信情報）をユーザ端末１０に送信し、ユーザ端末１０にSIP通信情報を設定させる機能を有する。当該SIP通信情報は、ユーザ端末１０が、他の端末や電話機とSIPによるIP電話通信を行うために必要な情報であり、ユーザ端末１０に対応するニックネーム、SIP-ID、パスワード、GW３のアドレス等を含む情報である。なお、網側（GW３等）には、設定情報割当機能部２３により割り当てられたユーザ端末１０のIP電話用電話番号とSIP通信情報とが対応付けて設定される。また、ユーザ端末１０には、通信に使用する情報として当該IP電話用電話番号は設定されないが、当該IP電話用電話番号をディスプレイに表示して、ユーザに知らせることは可能である。
【００２９】
ステータス管理機能部２５は、一連の申込手順の進捗状況（ステータス）を管理する機能部であり、着信認証NGや、着信認証待ち時間超過などが発生したら、申込手順を中断し、再度ユーザ端末１０に対して認証情報（電話番号、PINコード等）の入力を要求する等の制御を行う機能を有する。
【００３０】
情報格納部２６は、ユーザ毎（ユーザ端末毎）に、申込情報、IP電話用電話番号、設定情報等を格納する機能部であり、データベースシステムを構成している。
【００３１】
設定・認証装置２０は、１つの装置（コンピュータ）として構成することもできるし、１機能部毎もしくは複数の機能部毎に異なる装置（コンピュータ）としてネットワーク接続して構成してもよい。例えば、申込受付機能部２１を１つの装置として構成し、それ以外の機能部をまとめて別の装置として構成することができる。設定・認証装置２０が複数のコンピュータから構成される場合であっても、全体として設定・認証装置２０と称することができる。
【００３２】
設定・認証装置２０は、１つ又は複数のコンピュータに、本実施の形態で説明する処理内容を記述したプログラムを実行させることにより実現可能である。すなわち、設定・認証装置２０の各部が有する機能は、当該設定・認証装置２０を構成するコンピュータに内蔵されるＣＰＵやメモリなどのハードウェア資源を用いて、各部で実施される処理に対応するプログラムを実行することによって実現することが可能である。また、上記プログラムは、コンピュータが読み取り可能な記録媒体、例えばＦＤ（Ｆｌｏｐｐｙ（登録商標）  Ｄｉｓｋ）や、ＭＯ（Ｍａｇｎｅｔｏ−Ｏｐｔｉｃａｌ  ｄｉｓｋ）、ＲＯＭ（Ｒｅａｄ  Ｏｎｌｙ  Ｍｅｍｏｒｙ）、メモリカード、ＣＤ（Ｃｏｍｐａｃｔ  Ｄｉｓｋ）−ＲＯＭ、ＤＶＤ（Ｄｉｇｉｔａｌ  Ｖｅｒｓａｔｉｌｅ  Ｄｉｓｋ）−ＲＯＭ、ＢＤ（Ｂｌｕ−ｒａｙ  Ｄｉｓｋ）−ＲＯＭ、ＣＤ−Ｒ、ＣＤ−ＲＷ、ＤＶＤ−Ｒ、ＤＶＤ−ＲＷ、ＢＤ−Ｒ、ＢＤ−ＲＥ、ＨＤＤ、リムーバブルディスクなどに記録して、保存したり、配布したりすることが可能である。また、上記プログラムをインターネットや電子メールなど、ネットワークを通して提供することも可能である。
【００３３】
図３に本実施の形態におけるユーザ端末１０（本実施の形態ではスマートフォン等の携帯端末を想定）の機能構成図を示す。ユーザ端末１０は、アプリケーション部１００、及び電話機能部２００を有する。なお、ユーザ端末１０は無線通信機能を含み、アプリケーション部１００、及び電話機能部２００は、当該無線通信機能を利用して無線通信を行う。
【００３４】
アプリケーション部１００は、ユーザ端末１０にインストールされるアプリケーションプログラムにより実現される機能部であり、申込情報入力・送信機能部１０１、着信認証制御機能部１０２、自動設定機能部１０３を備える。
【００３５】
ユーザ端末１０は、IP電話通信を行うための機能も備えるが、図３は本発明に関連する着信認証及び自動設定に関わる機能を主に示しており、IP電話通信機能は図示していない。IP電話通信機能は、アプリケーション部１００内に備えてもよいし、アプリケーション部１００とは別のアプリケーションとして備えてもよい。
【００３６】
申込情報入力・送信機能部１０１は、申込情報（ユーザ氏名・住所・電話番号・クレジットカード番号等）をユーザに入力させるためのGUIをユーザ端末１０のディスプレイに表示し、ユーザから入力される申込情報を受け付け、入力された申込情報を設定・認証装置２０に送信する機能部である。
【００３７】
着信認証制御機能部１０２は、着信認証用の電話番号とPINコードとをユーザに入力させるためのGUIをユーザ端末１０のディスプレイに表示し、ユーザから入力される着信認証用の電話番号とPINコードとを含む着信認証要求を設定・認証装置２０に送信する機能、着信認証ステータスの確認のために設定・認証装置２０に確認要求（ポーリング）を行い、確認結果を設定・認証装置２０から取得する機能を備える。
【００３８】
自動設定機能部１０３は、認証OKである場合に、IP電話通信に必要なSIP通信情報を設定・認証装置２０から受信し、IP電話通信に使用できるようにユーザ端末１０の記憶手段に保存する機能部である。すなわち、SIP通信情報の自動設定を行う機能部である。
【００３９】
電話機能部２００は、電話番号（本実施の形態ではこれが着信認証用の電話番号となる）が割り当てられ、当該電話番号を用いた電話の発着信、及び通話を行うための機能部である。本実施の形態では、当該電話番号は携帯電話番号である。電話機能部２００は、一般には電話番号を入力する際に用いるPB（プッシュボタン）入力機能部２０１を備える。
【００４０】
ユーザ端末１０のアプリケーション部１００は、コンピュータ（CPUとメモリとからなる構成）に、本実施の形態で説明する処理内容を記述したプログラムを実行させることにより実現可能である。また、上記プログラムは、コンピュータが読み取り可能な記録媒体、例えばＦＤ（Ｆｌｏｐｐｙ（登録商標）  Ｄｉｓｋ）や、ＭＯ（Ｍａｇｎｅｔｏ−Ｏｐｔｉｃａｌ  ｄｉｓｋ）、ＲＯＭ（Ｒｅａｄ  Ｏｎｌｙ  Ｍｅｍｏｒｙ）、メモリカード、ＣＤ（Ｃｏｍｐａｃｔ  Ｄｉｓｋ）−ＲＯＭ、ＤＶＤ（Ｄｉｇｉｔａｌ  Ｖｅｒｓａｔｉｌｅ  Ｄｉｓｋ）−ＲＯＭ、ＢＤ（Ｂｌｕ−ｒａｙ  Ｄｉｓｋ）−ＲＯＭ、ＣＤ−Ｒ、ＣＤ−ＲＷ、ＤＶＤ−Ｒ、ＤＶＤ−ＲＷ、ＢＤ−Ｒ、ＢＤ−ＲＥ、ＨＤＤ、リムーバブルディスクなどに記録して、保存したり、配布したりすることが可能である。また、上記プログラムをインターネットや電子メールなど、ネットワークを通して提供することも可能である。
【００４１】
（システムの動作）
次に、図４のシーケンス図を参照して、ユーザ端末１０と設定・認証装置２０間で実行される着信認証及び自動設定処理の例を説明する。以下では、ユーザ端末１０によりIP電話通信を行うためのサービス申込時の例を説明する。
【００４２】
ユーザ端末１０のユーザは、アプリケーション部１００の申込情報入力・送信機能部１０１により表示されるGUIを用いて申込情報を入力し、申込情報入力・送信機能部１０１は、入力された申込情報を設定・認証装置２０に送信する（ステップ１）。
【００４３】
設定・認証装置２０において、申込受付機能部２１が申込情報を受信し、申込情報を情報格納部２６に格納する（ステップ２）。また、申込受付機能部２１は、ステータス管理機能部２５に対し、当該ユーザについてのステータスが「仮申込み完了」のステータスであることを通知する（ステップ３）。通知を受けたステータス管理機能部２５は、例えば、情報格納部２６に格納された当該ユーザの申込情報（ユーザ端末１０を識別可能な識別情報を含む）に対応付けてステータス情報として「仮申込み完了」を記録する。あるいは、ユーザの申込情報とは別に、ユーザ端末１０の識別情報と「仮申込み完了」を示す情報とをステータス情報として記憶手段に格納することとしてもよい。ここでのユーザ端末１０の識別情報は、申込情報として入力されるものであってもよいし、申込情報の送信時に自動的に付加される情報（ユーザ端末１０のアドレス等）であってもよい。
【００４４】
続いて、ユーザ端末１０のアプリケーション部１００における着信認証制御機能部１０２は、ユーザ端末１０の電話番号（つまり、電話機能部２００の電話番号）とPINコードとを入力させるGUIを表示し、GUIからユーザにより入力された当該電話番号とPINコードとを含む着信認証要求を設定・認証装置２０に送信する（ステップ４）。
【００４５】
申込情報に着信認証用の電話番号を含ませることとする場合には、アプリケーション部１００は、申込情報として入力された当該電話番号を保持しておき、着信認証要求時には、PINコードのみを入力させ、保持した電話番号と入力されたPINコードとを含む着信認証要求を設定・認証装置２０に送信することとしてもよい。
【００４６】
また、着信認証制御機能部１０２は、着信認証用の電話番号として、ユーザにより入力された電話番号を用いずに、ユーザ端末１０の所定の記憶手段からユーザ端末１０の電話番号を自動的に取得して、当該電話番号を着信認証用の電話番号として設定・認証装置２０に送信することとしてもよい。
【００４７】
設定・認証装置２０において、着信認証機能部２２が電話番号とPINコードとを受信すると、PINコードを記憶手段に保持しておくとともに、当該電話番号に対して発呼を行う（ステップ５）。当該呼の着信先であるユーザ端末１０の電話機能部２００により、ユーザに着信を知らせる着信音が鳴り、ユーザが応答する（電話に出る）と、ユーザ端末１０の電話機能部２００と設定・認証装置２０間で通話回線（これを認証用通信回線と呼ぶこともできる）が確立される（ステップ６）。
【００４８】
このとき、設定・認証装置２０は上記通話回線を介してユーザ端末１０の電話機能部２００に対して、プッシュボタンでPINコードを入力することを促すガイダンスメッセージを流してもよい。
【００４９】
ユーザ端末１０のユーザが、PB入力機能部２０１から、ステップ４で入力したPINコードと同じPINコードを入力すると、入力されたPINコードに対応するPB信号が設定・認証装置２０における着信認証機能部２２に送信される（ステップ７）。
【００５０】
着信認証機能部２２は、受信したPB信号から番号情報（数字の列）を識別し、当該番号情報と、ステップ４において受信したPINコードとを比較し、これらが同じかどうか判定を行う（ステップ８）。PINコードとしてのPB信号を受信した後、認証用通信回線は切断してよい。
【００５１】
判定の結果、番号情報とPINコードが同じである場合、着信認証機能部２２は認証成功と判断し、申込みを完了させる。すなわち、図４は、認証成功の場合を示しており、着信認証機能部２２は、当該ユーザ端末１０についてのステータスが「申込完了」となった旨をステータス管理機能部２５に通知し（ステップ９）、ステータス管理機能部２５は、当該ユーザ端末１０についてのステータスが「申込完了」となった旨を情報格納部２６に記録する。
【００５２】
そして、「申込完了」を認識したステータス管理機能部２５は、ユーザ端末１０に対する電話番号等設定情報割り当て処理要求を設定情報割当機能部２３に送る（ステップ１０）。設定情報割当機能部２３は、当該ユーザ端末１０に対して、IP電話用電話番号（例えば０５０番号）及びSIP通信情報を割り当て、情報格納部２６に格納する（ステップ１１）。
【００５３】
一方、ユーザ端末１０のアプリケーション部１００における着信認証制御機能部１０２は、ステップ４の後、例えば、「申込完了」とのステータスが得られるまで、一定時間間隔で設定・認証装置２０に対して申込みのステータスの確認要求を送信する（ステップ１２）。この確認要求には、ユーザ端末１０の識別情報が含まれる。上記のように一定時間間隔で確認要求を行うことに代えて、ユーザによる操作をトリガー（特定ボタン押下時等）にして確認要求を送信することとしてもよい。また、例えば、ユーザ端末１０が、電話機能部２００による電話通信が行われている間は、アプリケーションが動作しない仕様のものである場合、通話回線が切断（ユーザ端末１０での操作により切断、もしくは、設定・認証装置２０からの切断）された後に、アプリケーション部１００が再動作を開始したとき（アプリケーション再表示時）に、着信認証制御機能部１０２が確認要求を行うこととしてもよい。
【００５４】
確認要求を受信した設定・認証装置２０におけるステータス管理機能部２５は、情報格納部２６から当該ユーザ端末１０対応するステータスを取得し、当該ステータスをユーザ端末１０に返す（ステップ１３）。
【００５５】
ユーザ端末１０における着信認証制御部１０２は、受信したステータスが「申込完了」であれば、確認要求の送信を止めるとともに、「申込完了」の旨を自動設定機能部１０３に通知する（ステップ１４）。通知を受けた自動設定機能部１０３は、SIP通信情報の設定が可能であると判断し、ユーザによる操作トリガとするGUI（設定要求ボタン等）をディスプレイに表示し、ユーザからの操作（設定要求ボタンの押下等）を受けて、設定情報要求（ユーザ端末１０の識別情報を含む）を設定・認証装置２０に送信する（ステップ１５）。なお、設定要求ボタン等を行わずに、「申込完了」を把握した時点で、設定情報要求を設定・認証装置２０に送信することとしてもよい。
【００５６】
設定情報要求を受信した設定・認証装置２０においては、端末自動設定機能部２４が、当該ユーザ端末１０に対応する設定情報としてのSIP通信情報を情報格納部２６から取得し、当該SIP通信情報をユーザ端末１０に送信する（ステップ１６）。SIP通信情報を受信したユーザ端末１０では、自動設定機能部１０３が、SIP通信情報をIP電話通信に使用できるように記憶手段に格納する（ステップ１７）。
【００５７】
なお、網側へのユーザ端末１０のIP電話用電話番号及びSIP通信情報の設定も行われるが、これはどのような方法を用いて行ってもよい。例えば、ユーザ端末１０への情報設定と同様のタイミングで自動的に設定してもよいし、ネットワーク管理者が手動で設定を行うこととしてもよい。
【００５８】
ステップ８において、番号情報とPINコードが一致せずに、着信認証機能部２２が着信認証NGであると判定した場合は、「着信認証NG」を示すステータスをステータス管理機能部２５に通知し、ステータス管理機能部２は、「着信認証NG」を示すステータスをユーザ端末１０のステータスとして情報格納部２６に記録するとともに、例えばステップ４の前の段階に戻り、電話番号とPINコードの再入力をユーザ端末１０に要求する処理を行い、ステップ４からの処理を再実行する。また、ステップ５もしくは６の後、一定時間以内にPB信号を受信しない場合にも、同様に「着信認証NG」とし、電話番号とPINコードの再入力をユーザ端末１０に要求する処理を行う。
【００５９】
これまでに説明した例では、IP電話通信に用いるユーザ端末１０が、認証制御及び設定のためのアプリケーション部１００と、着信認証を実行する電話機能部２００とを備え、着信認証用の電話番号をユーザ端末１０の電話番号としたが、着信認証用の電話番号はユーザ端末１０の電話番号でなくてもよい。例えば、着信認証用の電話番号を、ユーザ端末１０とは別の電話機の電話番号（これもユーザ端末１０のユーザの電話番号である）としてもよい。この場合、設定・認証装置２０からの着信認証用の発呼は当該別の電話機に対してなされ、当該電話機から正しいPINコード（PB信号）が入力されれば、認証OKと判定される。この形態では、IP電話通信に用いるユーザ端末として、電話機能部２００を含まない端末を使用することが可能となる。
【００６０】
（実施の形態の効果）
上述したように、本実施の形態では、サービスを受けるために使用するユーザ端末のユーザの本人性確認に着信認証を用いる。着信認証用の電話番号は、契約時の本人性確認を経てユーザが既に契約している電話回線の電話番号であるから、当該電話番号の着信先（電話番号の契約ユーザ）から、ユーザ端末にユーザにより入力された確認用番号と同じ番号情報が返された場合、ユーザ端末のユーザは電話番号契約ユーザと同一であると推定することができる。従って、この着信認証方式により、確実性の高いユーザの本人性確認が可能となる。
【００６１】
また、本実施の形態では、サービス利用にあたってのユーザ端末に対するSIP通信情報の初期設定を自動で実行することで、SIP通信情報を流用できないように秘匿することが可能となっている。
【００６２】
本発明は、上記の実施の形態に限定されることなく、特許請求の範囲内において、種々変更・応用が可能である。
【符号の説明】
【００６３】
１  インターネット
２  電話網
３  GW
４  無線通信網
５  電話機
１０、３０  ユーザ端末
２０  設定・認証装置
２１  申込受付機能部
２２  着信認証機能部  
２３  設定情報割当機能部
２４  端末自動設定機能部
２５  ステータス管理機能部
２６  情報格納部
１００  アプリケーション部
１０１  申込情報入力・送信機能部
１０２  着信認証制御機能部
１０３  自動設定機能部
２００  電話機能部
２０１  PB入力機能部
【図１】
0005694047.tif 000002
【図２】
0005694047.tif 000003
【図３】
0005694047.tif 000004
【図４】
0005694047.tif 000005